(57)【要約】本発明によって、フィルタ、より詳細には、除去可能であると同様にフィルタ処理された物質に成分を添加可能な多機能フィルタが提供される。本発明は、多機能フィルタに加え、濾液を処理するためにそのような多機能フィルタを装置において使用することと、本発明の方法によって生成される濾液とに関する。
2005501708.tif 000002
【特許請求の範囲】
【請求項１】
ａ．濾液から物質を除去可能な除去用成分と、
ｂ．濾液に物質を添加可能な添加用成分とを含んでなるフィルタであって、
好ましくは、該除去用成分及び添加用成分が同一のフィルタ領域に存在し、あるいは該除去用成分及び添加用成分が離れた別個のフィルタ領域に存在する、フィルタ。
【請求項２】
該除去用成分が吸着剤を含んでなり、好ましくは該吸着剤が極性剤を含んでなり、より好ましくは該極性剤が次式：
Ｙａ−ＯｂＸ
を有し、式中、Ｙは、Ｓｉ、Ａｌ、Ｔｉ、Ｐであり、ａは約１〜約５であり、ｂは約１〜約１０であり、Ｘは金属であり、且つ／又は、該極性剤が、シリカ、珪藻土、アルミノシリケート類、ポリアミド樹脂、アルミナ、ヒドロゲル類、ゼオライト類、及びこれらの混合物から成る群から選択され、最も好ましくは該極性剤がシリカゲルを含んでなる、請求項１に記載のフィルタ。
【請求項３】
該吸着剤が無極性剤を含んでなり、好ましくは、該無極性剤が、活性炭、ポリスチレン、ポリエチレン、ポリジビニルベンゼン、及びこれらの混合物の１つ以上を含んでなる、請求項１に記載のフィルタ。
【請求項４】
該吸着剤が荷電剤を含んでなり、好ましくは該荷電剤が次式：
［Ｗ−Ｚ］Ｔ
を有し、式中、Ｗは、Ｓｉ、Ａｌ、Ｔｉ、Ｐ、又はポリマー主鎖であり、Ｚは荷電置換基であり、Ｔは、アルカリ金属、アルカリ土類金属、及びこれらの混合物から選択される対イオンであり、より好ましくは該ポリマー主鎖が、ポリスチレン、ポリエチレン、ポリジビニルベンゼン、ポリアクリル酸、ポリアクリルアミド、多糖類、ポリビニルアルコール、これらのコポリマー及びこれらの混合物を含んでおり、且つ／又は該荷電置換基が、スルホネート類、ホスフェート類、第四級アンモニウム塩、及びこれらの混合物を含んでおり、且つ／又は該荷電置換基が、アルコール類、ジオール類、カルボン酸塩、第一級アミン類、第二級アミン類、及びこれらの混合物を含んでなり、より好ましくはＷがＷの約１重量％〜約１５重量％の荷電剤を含んでなる、請求項１に記載のフィルタ。
【請求項５】
前記荷電剤が、環境条件に曝されると除去した汚染物質を放出することができるような再生可能なものであり、好ましくは前記荷電剤が約２〜約８のｐＫａ又はｐＫｂを示し、且つ／又は該荷電剤が、酸、塩基、及び塩のうち１つ以上に曝されると汚染物質を放出し、且つ／又は該荷電剤が多サイクルの汚染物質除去に再利用可能である、請求項４に記載のフィルタ。
【請求項６】
該添加用成分が放出剤を含んでなり、好ましくは該放出剤が、香料、殺生物剤、静電気防止剤、布地柔軟化剤、及びこれらの混合物から成る群から選択される物質を含んでなり、より好ましくは該放出剤が、基質と、該基質によって放出可能に保持されている物質とを含んでなり、さらに好ましくは該基質によって放出可能に保持されている物質が、香料、殺生物剤、静電気防止剤、布地柔軟化剤、及びこれらの混合物から成る群から選択される、請求項１に記載のフィルタ。
【請求項７】
該吸着剤が、極性吸着剤及び無極性吸着剤を含んでおり、好ましくは該極性吸着剤及び無極性吸着剤が、単一のフィルタ領域又は離れた別個のフィルタ領域に存在する、請求項１に記載のフィルタ。
【請求項８】
該除去用成分及び添加用成分が、中間成分によって互いに物理的に隔てられており、好ましくは該中間成分が流体透過性材料を含んでなる、請求項１に記載のフィルタ。
【請求項９】
該除去用成分が、中間成分によって他の除去用成分から物理的に隔てられており、好ましくは該中間成分が流体透過性材料を含んでなる、請求項１に記載のフィルタ。
【請求項１０】
該添加用成分が、中間成分によって他の添加用成分から物理的に隔てられており、好ましくは該中間成分が流体透過性材料を含んでなる、請求項１に記載のフィルタ。
【請求項１１】
該除去用成分及び添加用成分が、フィルタハウジング内に収納されており、好ましくは該フィルタハウジングが、除去用成分及び添加用成分を実質的に包み込む外壁を含んでなる、請求項１に記載のフィルタ。
【請求項１２】
ａ．濾液が通ってフィルタに入る流入ポートと、濾液が通ってフィルタから出る流出ポートとを備えたハウジングを備えたフィルタであって、
該除去用成分が、ひだ付きのファンフォールド濾過材全体にわたって分散して固定されており、該濾過材が、濾液がハウジングの流入ポートから流出ポートまで通過する際に該濾液が該濾過材と接触するようにハウジング内に位置決めされている請求項１に記載のフィルタ。
【請求項１３】
ｂ．請求項１に記載のフィルタと、
ｃ．該濾液が該フィルタと接触するように該フィルタと流体連通している濾液源と備えた装置。
【請求項１４】
請求項１に記載のフィルタを濾液と接触させることを含む、濾液を処理する方法。
【発明の詳細な説明】
【技術分野】
【０００１】
本発明は、フィルタに関し、より詳細には、除去可能な上に、フィルタ処理された物質に成分を添加することが可能な多機能フィルタに関する。本発明は、多機能フィルタに加え、濾液を処理するためにそのような多機能フィルタを装置において使用することと、本発明の方法によって生成される濾液とに関する。
【背景技術】
【０００２】
従来のフィルタ材料は、濾液中に存在する微粒子及び／又は他の物質の除去が得意である。しかし、従来のフィルタ材料の製造業者は、濾液から剤を除去するだけでなく濾液に剤を添加するという好機を認識していない。
【発明の開示】
【発明が解決しようとする課題】
【０００３】
したがって、とりわけ消耗的なフィルタ処理方法において、濾液から除去可能で、濾液に様々な剤を添加可能なフィルタが必要とされている。
【課題を解決するための手段】
【０００４】
本発明は、フィルタ材料と接触する濾液から除去可能で、その濾液に様々な剤を添加可能なフィルタ材料で構成される多機能フィルタを提供することによって、前述の需要を満たす。
【０００５】
本発明の１つの態様では、
ａ．濾液から物質を除去可能な除去用成分と、
ｂ．濾液に物質を添加可能な添加用成分とを含むフィルタが提供される。
【０００６】
本発明の別の態様では、
ａ．濾液が通ってフィルタに入る流入ポートと、濾液が通ってフィルタから出る流出ポートとを備えたハウジングと、
ｂ．前記ハウジング内に収納された濾過材であって、ファンフォールド式にひだが付けられており、濾液が流入ポートから流出ポートまで通過する際に該濾液が該濾過材と接触するようにフィルタ内に位置決めされている濾過材と、
ｃ．濾液から物質を除去する除去用成分であって、濾過材全体にわたって分散して固定されている除去用成分と、
ｄ．濾液に物質を添加する添加用成分とを含むフィルタが提供される。
【０００７】
本発明のさらに別の態様では、
ａ．本発明によるフィルタと、
ｂ．濾液がフィルタと接触するようにフィルタと流体連通している濾液源とを備えた装置が提供される。
【０００８】
本発明のさらに別の態様では、本発明によるフィルタを濾液と接触させることを含む、濾液を処理する方法が提供される。
【０００９】
本発明のさらに別の態様では、本発明による方法によって生成される濾液が提供される。
【００１０】
したがって、本発明は、多機能フィルタと、それを採用する装置と、多機能フィルタを使用して濾液を処理する方法と、そのような方法によって生成される濾液とを提供する。
【発明を実施するための最良の形態】
【００１１】
（定義）
本明細書で使用する時、「フィルタ領域」とは、入口と出口の間に吸着材及び／又はフィルタ材料が入っているフィルタカートリッジ内の領域を意味する。
【００１２】
本明細書で使用される用語「布地物品」とは、従来の洗濯方法又はドライクリーニング方法において慣例的に洗浄されるあらゆる物品を意味するものとする。したがって、この用語は、衣服、亜麻布、服地、及び衣服付属品のような物品を包含する。また、この用語は、手さげバッグ、家具カバー、防水布などのような、全体又は一部分が布で作られた他の品目も包含する。
【００１３】
本明細書で使用される「吸収性材料」又は「吸収性ポリマー」という用語は、詳述されているように、親油性流体を吸収することなく水及び／又は含水流体を選択的に吸収又は吸着可能ないずれかの材料を意味することを意図している。換言すれば、吸収性材料又は吸収性ポリマーは、吸水剤を含む。当該技術分野において、それらはまた「応答性ゲル」、「ゲル」、及び「高分子ゲル」と呼ばれる可能性もある。相変化ゲルの一覧については、「応答性ゲル、体積の変化ＩＩ（Responsive Gels, Volume Transitions II）」、Ｋ．ドゥシェク（K. Dusek）編、スプリンガー出版（Springer Verlag）、ベルリン、１９９３年（本明細書に参考として組み入れられる）のテキストを参照されたい。また、熱応答性ゲル（Thermo-responsive Gels）、放射物理化学（Radiat.Phys.Chem.）、第４６巻、Ｎｏ．２、１８５〜１９０ページ、英国エルゼビア科学社（Elsevier Science Ltd.）、１９９５年（参照により本明細書に組み込む）も参照のこと。本発明の使用にも適した超吸収ポリマーは、５ｇ／ｇ以上の吸収力を有する高分子材料である。本願に引用し援用する、フレデリック  Ｌ．ブクホルツ（Fredric L. Buchholz）及びニコラス  Ａ．ペッパス（Nicholas A. Peppas）編、アメリカ化学会（American Chemical Society）、ワシントンＤＣ、１９９４年の「超吸収ポリマー科学技術（Superabsorbent Polymers Science and Technology）」（特に、タダオ・シモムラ（Tadao Shimomura）及びタカシ・ナンバ（Takashi Namba）による「高性能超吸収ポリマーの調製及び応用（Preparation and Application of High-Performance Superabsorbent Polymers）」と題された第９章）も参照すること。
【００１４】
本明細書で使用される「吸収性マトリックス浸透助剤」又は「スペーサー物質」又は「スペーサー」という用語は、多くとも、水及び／又は親油性流体にわずかしか溶解しない、あらゆる繊維性又は微粒子物質も意味するものとする。
【００１５】
本明細書で使用される用語「吸収性マトリックス」は、水を吸収又は吸着可能なあらゆる形態のマトリックスを意味するものとする。少なくとも、前記用語は吸収性材料を含む。前記用語は、スペーサー物質及び／又は高表面積物質を任意選択的に含んでもよい。
【００１６】
本明細書で使用される用語「親油性流体」は、以下でより詳細に記載されるように、皮脂を除去可能なあらゆる非水性流体を意味するものとする。
【００１７】
本明細書で使用される用語「洗浄組成物」は、洗浄すべき布地物品と直接接触する、あらゆる親油性流体含有組成物を意味するものとする。前記用語は、コンディショニング及びサイジングなどの洗浄以外の用途を包含すると理解されるべきである。さらに、上述の界面活性剤以外の追加の界面活性剤並びに漂白剤などの任意の洗浄補助剤が、「洗浄性組成物」に添加されてもよい。すなわち、洗浄補助剤が、親油性流体と任意選択的に組み合わされてもよい。これらの任意選択の洗浄性補助剤を、以下にさらに詳細に説明する。このような洗浄補助剤は、洗浄性組成物の約０．０１重量％〜約１０重量％の濃度で本発明の洗浄性組成物中に存在してもよい。
【００１８】
用語「汚れ」とは、除去が望まれる、布地物品上の望ましくないあらゆる物質を意味する。用語「水を主体とする」又は「親水性の」汚れとは、汚れが最初に布地物品と接触する時に、汚れが水を含んでいるか、又は汚れが布地物品上で相当な分量の水を保持することを意味する。水をベースにした汚れの例には、限定的ではないが、飲み物、多くの食物汚れ、水溶性染料、体液、例えば汗、尿、又は血液など、戸外の汚れ、例えば草のしみ、及び泥などが挙げられる。
【００１９】
用語「親油性流体中に水を懸濁させることができる」は、ある物質が、成分を初めに混合した後少なくとも５分間静置した時に、水が目で見て懸濁、溶媒和、又は乳化した状態を保つような形で、親油性流体と不混和性である水を懸濁、溶媒和、又は乳化させることができることを意味する。本発明の組成物の幾つかの実施例では、組成物は、コロイドの性質であっても、及び／又は乳濁性に見えてもよい。本発明の組成物の他の実施例では、組成物は透明であってもよい。
【００２０】
用語「親油性流体に不溶性」とは、親油性流体に添加された時に、物質が添加後５分以内に親油性流体から物理的に分離（すなわち、沈殿、凝縮、浮遊）することを意味し、一方「親油性流体に可溶性」である物質は、添加後５分以内に親油性流体から物理的に分離しない。
【００２１】
用語「消費可能な洗剤組成物」及び／又は「処理組成物」とは、親油性流体と組み合わせると、結果として本発明による洗浄組成物が得られる、あらゆる組成物を意味する。
【００２２】
用語「処理助剤」とは、本発明による洗浄組成物を形成するために、消費可能な洗剤組成物を親油性流体との配合性、安定性、及び／又は希釈性に関してさらに好適にする、あらゆる物質を指す。
【００２３】
本明細書で使用する時、用語「混合」とは、２つ以上の物質（すなわち、流体、より具体的には親油性流体及び消費可能な洗剤組成物）を均一な混合物が形成されるように組み合わせることを意味する。好適な混合方法は、当該技術で既知である。好適な混合方法の非限定的な例には、攪拌混合方法、及び静的混合方法が挙げられる。
【００２４】
（親油性流体）
本明細書の親油性流体は、布地／皮革物品処理機器の運転条件下で、換言すれば、本発明の布地物品の処理中に、液相が存在するものである。一般に、そのような親油性流体は、周囲温度及び圧力において完全に液体であることができ、容易に融解する固体、例えば約０℃〜約６０℃の範囲の温度で液体になるものであることができ、あるいは周囲温度及び圧力で、例えば２５℃及び１気圧で液相と気相の混合物を含むことができる。したがって、親油性流体は、二酸化炭素のような圧縮性気体ではない。
【００２５】
本明細書の親油性流体は、既知の慣用的なドライクリーニング流体の性質と等しい、又は好ましくはそれを上回る不燃性を有するか又は比較的高い引火点及び／若しくは低ＶＯＣ（揮発性有機化合物）性を有することが好ましく、これらの用語はドライクリーニング産業で使用されるような慣用的な意味を有する。
【００２６】
さらに、本明細書の好適な親油性流体は、流動し易く、粘性ではない。
【００２７】
一般に、本明細書の親油性流体は、本発明書で後述する試験の中で定義されるように、皮脂又は身体の汚れを少なくとも部分的に溶解できる流体であることが必要である。親油性流体の混合物もまた好適であり、下記の親油性流体試験の要件が満たされることを条件として、親油性流体は、任意の分率のドライクリーニング溶媒、特にフッ素化溶媒、又は過フッ素化アミンを包含する、より新しい種類のものを包含することができる。パーフルオロトリブチルアミンのような幾つかの過フッ化アミン類は、親油性流体として使用するには適さないが、親油性流体含有組成物中に存在し得る多くの潜在的な添加剤の１つとして存在してよい。
【００２８】
他の好適な親油性流体には、以下に限定されないが、ジオール溶媒系、例えば、Ｃ６−若しくはＣ８−などの高級ジオール、又はさらに高級のジオール類、環状及び非環状型の両方を含む有機シリコーン溶媒類等、及びこれらの混合物が挙げられる。
【００２９】
本発明の組成物の主構成成分として組み込むのに好適な非水性親油性流体の好ましい群には、低揮発性非フッ素化有機物、シリコーン、特にアミノ官能性シリコーン以外のもの、及びこれらの混合物が挙げられる。低揮発性非フッ素化有機物には、例えばオレアン（OLEAN）（登録商標）及びその他のポリオールエステル類、又は特定の比較的非揮発性の生分解性中鎖分枝状石油留分が包含される。
【００３０】
本発明の組成物の主構成成分として組み込むのに好適な非水性親油性流体の別の好ましい群には、以下に限定されないが、グリコールエーテル、例えば、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられる。組成物の主構成成分として、例えば、５０％を超過して用いられる好適なシリコーンには、「Ｄ５」と称されることもあるシクロペンタシロキサン、及び／又はほぼ同様の揮発性を有し、任意に他の適合性のあるシリコーンにより補完される直鎖類似体が挙げられる。好適なシリコーン類は、文献で周知であり（例えば、カークオスマー（Kirk Othmer）の工業化学百科事典（Encyclopedia of Chemical Technology）を参照）、ゼネラル・エレクトリック（General Electric）、東芝シリコーン（株）、バイエル（Bayer）、及びダウ・コーニング（Dow Corning）を含む多数の市販供給源から入手可能である。他の好適な親油性流体が、プロクター・アンド・ギャンブル社（Procter & Gamble）、又はダウ・ケミカル（Dow Chemical）、及び他の供給元から購入可能である。
【００３１】
（親油性流体の適合性及び親油性流体試験（ＬＦ試験））
ドライクリーニング流体に対する既知の要求（例えば、引火点等）を満たすことができ、下記の試験法に示されるように、少なくとも部分的に皮脂を溶解可能な任意の非水性流体が本明細書の親油性流体として好適である。一般指針としてパーフルオロブチルアミン（フロリナート（Fluorinert）ＦＣ−４３（登録商標））はそれ自体（添加剤と共に、又は添加剤なしで）では定義により本明細書で使用される親油性流体として好適でない（本質的に非溶媒である）標準物質であり、一方でシクロペンタシロキサンは好適な皮脂溶解特性を有し、皮脂を溶解させる。
【００３２】
以下は親油性流体として使用する他の物質、例えば、他の低粘度、自由流動性シリコーンの調査及び適格性認定方式である。この方式は、皮脂に関するモデルの汚れとして、市販品として入手可能なクリスコ（Crisco）（登録商標）キャノーラ油、オレイン酸（純度９５％、シグマ・アルドリッチ社（Sigma Aldrich Co.）から入手可能）及びスクアレン（純度９９％、Ｊ．Ｔ．ベーカー（J.T.Baker）から入手可能）を使用する。試験物質は、実質的に無水であり、いかなる添加された添加剤も評価中の他の材料も含んでいてはならない。
【００３３】
３本のバイアル瓶を用意し、各バイアル瓶に一種類の親油性汚れを入れる。第一のバイアル瓶にキャノーラ油１．０ｇを入れ、第二のバイアル瓶にオレイン酸（９５％）１．０ｇを入れ、最後の第三のバイアル瓶にスクアレン（９９．９％）１．０ｇを入れる。各バイアル瓶に、親油性を試験する流体を１ｇ入れる。室温及び常圧で標準的な攪拌混合機において、最大設定で２０秒間、試験される親油性汚れ及び流体を含有する各バイアル瓶を個別に混合する。バイアル瓶を作業台に載置し、室温及び常圧で１５分間安定させる。静止してから、親油性汚れの入ったいずれかのバイアル瓶に透明な単一相が形成された場合は、その非水性流体は、本発明による「親油性流体」として使用するに好適であると見なされる。しかし、３本のバイアル瓶全部に２つ以上の分離相が形成されている際には、油相中に溶解される非水性流体の量を、非水性流体が適切なものとして拒絶する又は容認する前に、さらに測定する必要がある。
【００３４】
このような場合には、注射器により、各バイアル瓶の各層から２００μｌのサンプルを注意深く抜き取る。各３つのモデル汚れ及び試験される流体の較正サンプルの保持時間の決定後、注射器で抜き取った層のサンプルをＧＣオートサンプラーバイアル瓶に入れ、慣用的なＧＣ分析にかける。オレイン酸層、キャノーラ油層、又はスクアラン層からなる層のいずれか一つに、試験流体が１％を超えて、好ましくはより多く、存在することがＧＣで見つかった場合には、その試験流体も親油性流体として使用するのに適切であると見なされる。必要であれば、方式はヘプタコサフルオロトリブチルアミン、つまりフロリナート（Fluorinert）ＦＣ−４３（不合格）及びシクロペンタシロキサン（合格）を使用してさらに較正することができる。好適なＧＣは、スプリット／スプリットレス注入器及びＦＩＤを装備したヒューレットパッカード（Hewlett Packard）のガスクロマトグラフＨＰ５８９０シリーズＩＩである。親油性流体存在量を決定するのに使用する好適なカラムは、Ｊ＆Ｗサイエンティフィック社（J&W Scientific）の、３０メートル、内径０．２５ｍｍ、０．１ｕｍのフィルム厚、カタログ番号１２２１１３１のキャピラリーカラムＤＢ−１ＨＴである。ＧＣは以下の条件下で操作されるのが好適である：
【表１】
2005501708.tif 000003
【００３５】
本明細書で使用するのに好適な好ましい親油性流体は、優れた衣類ケア特性を有することに基づいて、使用のためにさらに格付けすることができる。衣類ケア特性試験は当該技術分野において周知であり、幅広い範囲の衣類又は継ぎ目等に使用される布地、糸及びゴムひもを包含する布地物品用成分及び様々なボタンを使用して特定されるべき流体を試験することを包含する。本明細書に用いるのに好ましい親油性流体は、優れた衣類ケア特性を有する、例えば、良好な収縮及び／又は布地ひだ寄せ特性を有し、プラスチックボタンに目立った損傷を与えない。例えばエチルラクテートのような、皮脂の除去において親油性流体として使用するのが適切である特定の物質は、ボタンを溶解する傾向があるために極めて好ましくないことがあり、そのような物質を本発明の組成物中に使用しなければならない場合は、混合物全体が実質的にボタンに損傷を与えないように、水及び／又は他の物質と配合されることになる。他の親油性流体、Ｄ５は、例えば、衣類ケアの要件を極めて良く満たす。幾つかの好適な親油性流体は、付与された米国特許第５，８６５，８５２号、第５，９４２，００７号、第６，０４２，６１７号、第６，０４２，６１８号、第６，０５６，７８９号、第６，０５９，８４５号、及び第６，０６３，１３５号の中に見出され、これらは本明細書に参考として組み入れられる。
【００３６】
親油性流体には、直鎖及び環状ポリシロキサン、炭化水素、及び塩素化炭化水素を挙げることができるが、本明細書で使用される親油性流体の定義によって明確に包含されないＰＥＲＣ及びＤＦ２０００は例外とする。より好ましいのは線状及び環状ポリシロキサン、及びグリコールエーテル、酢酸エステル、乳酸エステル類の炭化水素である。好ましい親油性流体には、７６０ｍｍＨｇにおける沸点が約２５０℃未満である環状シロキサンが挙げられる。本発明で使用する特に好ましい環状シロキサンは、オクタメチルシクロテトラシロキサン、デカメチルシクロペンタシロキサン及びドデカメチルシクロヘキサシロキサンである。好ましくは、環状シロキサンはデカメチルシクロペンタシロキサン（Ｄ５、ペンタマー）を含み、実質的にオクタメチルシクロテトラシロキサン（テトラマー）及びドデカメチルシクロヘキサシロキサン（ヘキサマー）を含まない。
【００３７】
但し、有用な環状シロキサン混合物は、好ましい環状シロキサンに加えて、オクタメチルシクロテトラシロキサン及びヘキサメチルシクロトリシロキサン、あるいはテトラデカメチルシクロヘプタシロキサンのようなより高級な環状物を含む他の環状シロキサンも微量含有する場合があることを理解すべきである。一般的に、有用な環状シロキサン混合物中のこれらの他の環状シロキサン量は、混合物の全体の約１０重量％未満である。環状シロキサン混合物の工業規格では、このような混合物は混合物の約１重量％未満のオクタメチルシクロテトラシロキサンを含む。
【００３８】
したがって、本発明の親油性流体は、親油性流体の好ましくは約５０重量％以上、より好ましくは約７５重量％以上、さらにより好ましくは少なくとも約９０重量％、最も好ましくは少なくとも約９５重量％のデカメチルシクロペンタシロキサンを含む。あるいは、親油性流体は、混合物の約５０重量％以上、好ましくは約７５重量％以上、より好ましくは少なくとも約９０重量％、最も好ましくは少なくとも９５重量％〜約１００重量％のデカメチルシクロペンタシロキサン、並びに混合物の約１０重量％未満、好ましくは約５重量％未満、より好ましくは約２重量％未満、さらにより好ましくは約１重量％未満、最も好ましくは約０．５重量％未満から約０重量％までのオクタメチルシクロテトラシロキサン及び／又はドデカメチルシクロヘキサシロキサンを有する環状シロキサンの混合物であるシロキサンを含み得る。
【００３９】
親油性流体の濃度は、本発明の処理組成物中に存在する場合、好ましくは処理組成物の約７０重量％〜約９９．９９重量％、より好ましくは約９０重量％〜約９９．９重量％、及びさらにより好ましくは、約９５重量％〜約９９．８重量％である。
【００４０】
親油性流体の濃度は、本発明の消費可能な布地物品処理／洗浄組成物中に存在する場合、好ましくは消費可能な布地物品処理／洗浄組成物の約０．１重量％〜約９０重量％、より好ましくは約０．５重量％〜約７５重量％、さらにより好ましくは約１重量％〜約５０重量％である。
【００４１】
（親油性流体補助剤）
親油性流体を使用する布地処理方法中には、親油性流体は、通常、最終的には汚染物質成分及び／又は汚染物質、水及び／又はその他の「非親油性流体物質」を含有する。
【００４２】
（ａ．汚染物質成分）
汚染物質構成成分及び／又は従来の汚染物質は、両物質を利用する布地処理方法の結果親油性流体と混合されてもよいし、又は親油性流体を布地処理方法に使用する前に親油性流体に添加されてもよい。汚染物質構成成分及び／又は従来の汚染物質がいかにして親油性流体中に存在するようになるかは本発明にとって特に重要でない。本発明は、汚染物質構成成分及び／又は従来の汚染物質の親油性流体からの除去という問題に対処する。
【００４３】
本発明の汚染物質含有親油性流体中に存在し得る汚染物質成分（すなわち、汚染物質と同様の特性を有する物質）及び従来の汚染物質には、従来の汚染物質、界面活性剤、染料、脂質、汚れ、水、及びその他の非親油性流体物質が挙げられるがこれらに限定されない。
【００４４】
これらのその他の汚染物質の非限定例には、従来の陰イオン性、非イオン性、陽イオン性及び双性イオン性汚染物質が挙げられる。
【００４５】
本発明によって提供される処理組成物に含まれる汚染物質は、使用される特定の汚染物質及び達成されるべき所望効果に依存して、組成物の少なくとも０．０１重量％、好ましくは少なくとも約０．１重量％，より好ましくは少なくとも約０．５重量％、さらにより好ましくは少なくとも約１重量％、最も好ましくは少なくとも約３重量％から約８０重量％まで、より好ましくは約６０重量％まで、最も好ましくは約５０重量％まで含まれる。
【００４６】
汚染物質は、非イオン性、陰イオン性、両性、両染性、双性イオン性、陽イオン性、半極性非イオン性、及びこれらの混合物であることができ、その非限定例が米国特許第５，７０７，９５０号及び第５，５７６，２８２号に開示されている。陰イオン系、非イオン性、両性及び双性イオン性の分類、及びこれらの汚染物質の種は、米国特許特第３，６６４，９６１号（ノリス（Norris）、１９７２年５月２３日発行）に挙げられている。好ましい組成物は非イオン性汚染物質及び／又は非イオン性汚染物質と他の汚染物質、とりわけ陰イオン系汚染物質との混合物を含む。
【００４７】
本明細書で有用な汚染物質の非限定例には、いわゆる狭ピークのアルキルエトキシレート類及びＣ６〜Ｃ１２アルキルフェノールアルコキシレート類（とりわけ、エトキシレート類及びエトキシ／プロポキシの混合物）を含む従来の、約１〜２２のＥＯを有するＣ８〜Ｃ１８アルキルエトキシレート類（「ＡＥ」）、アルキルジアルキルアミンオキシド、アルカノイルグルコースアミド、Ｃ１１〜Ｃ１８アルキルベンゼンスルホネート類、並びに一級、二級及びランダムアルキルサルフェート類、Ｃ１０〜Ｃ１８アルキルアルコキシサルフェート類、Ｃ１０〜Ｃ１８アルキルポリグリコシド類、及びそれらの対応する硫酸化ポリグリコシド類、Ｃ１２〜Ｃ１８α−スルホン化脂肪酸エステル類、Ｃ１２〜Ｃ１８アルキル及びアルキルフェノールアルコキシレート類（とりわけ、エトキシレート類及びエトキシ／プロポキシの混合物）、Ｃ１２〜Ｃ１８ベタイン類、スケアコタイン（Schercotaine）類及びスルホベタイン類（「スルタイン類」）、Ｃ１０〜Ｃ１８アミンオキシド類、及び類似のものが挙げられる。他の従来の有用な汚染物質は、標準テキストに列記されている。
【００４８】
汚染物質構成成分及び／又は汚染物質は、以下の非限定例を含み得る。
【００４９】
ａ）陰イオン性汚染物質（例えば、アルキル又はアリールサルフェート、エアゾール誘導体等）
ｂ）陽イオン性又は塩基性汚染物質（例えば、四級汚染物質、一級及び二級アミン等）
ｃ）非イオン性汚染物質（例えば、ブリジ（Brij）汚染物質、ネオドール（Neodol）汚染物質等）
本発明の汚染物質成分は、親油性流体中に水を懸濁させることができ、親油性流体の汚れ除去利益を向上させることのできる物質であってよい。それらの性質の条件として、前記物質は、親油性流体に可溶性である。
【００５０】
１つの分類の物質には、シロキサンをベースにした界面活性剤（シロキサンをベースにした物質）を含むことができる。この用途のシロキサンをベースにした界面活性剤は、他の用途向けのシロキサンポリマーであってもよい。シロキサンをベースにした界面活性剤の重量平均分子量は、典型的には、５００〜２０，０００である。ポリ（ジメチルシロキサン）に由来するこのような物質は、当該技術分野で周知である。本発明では、このようなシロキサンをベースにした界面活性剤全てが好適であるとは限らないが、それは、これらが親油性流体自体によって提供される洗浄のレベルと比較して、改善された汚れの洗浄を提供しないためである。
【００５１】
シロキサンをベースにした好適な界面活性剤は、次式：
ＭａＤｂＤ’ｃＤ”ｄＭ’２〜ａ
を有するポリエーテルシロキサンを含み、式中、ａは０〜２であり、ｂは０〜１０００であり、ｃは０〜５０であり、ｄは０〜５０であり、但しａ＋ｃ＋ｄは少なくとも１であり；
ＭはＲ１３〜ｅＸｅＳｉＯ１／２であり、式中、Ｒ１は独立にＨ、又は一価の炭化水素基であり、Ｘはヒドロキシル基であり、ｅは０又は１であり；
Ｍ’はＲ２３ＳｉＯ１／２であり、式中、Ｒ２は独立にＨ、一価の炭化水素基、又は（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、但し、少なくとも１つのＲ２が（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立にＨ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；
ＤはＲ４２ＳｉＯ２／２であり、式中、Ｒ４は独立にＨ、又は一価の炭化水素基であり；
Ｄ’はＲ５２ＳｉＯ２／２であり、式中、Ｒ５は独立にＲ２であり、但し、少なくとも１つのＲ５は、（ＣＨ２）ｆ−（Ｃ６Ｈ４）ｇＯ−（Ｃ２Ｈ４Ｏ）ｈ−（Ｃ３Ｈ６Ｏ）ｉ−（ＣｋＨ２ｋＯ）ｊ−Ｒ３であり、式中、Ｒ３は独立にＨ、一価の炭化水素基、又はアルコキシ基であり、ｆは１〜１０であり、ｇは０又は１であり、ｈは１〜５０であり、ｉは０〜５０であり、ｊは０〜５０であり、ｋは４〜８であり；
Ｄ”はＲ６２ＳｉＯ２／２であり、式中、Ｒ６は独立にＨ、一価の炭化水素基、又は（ＣＨ２）ｌ（Ｃ６Ｈ４）ｍ（Ａ）ｎ−［（Ｌ）ｏ−（Ａ’）ｐ−］ｑ−（Ｌ’）ｒＺ（Ｇ）ｓであり、式中、ｌは１〜１０であり、ｍは０又は１であり、ｎは０〜５であり、ｏは０〜３であり、ｐは０又は１であり、ｑは０〜１０であり、ｒは０〜３であり、ｓは０〜３であり、Ｃ６Ｈ４は、非置換又はＣ１〜１０アルキル若しくはアルケニルで置換されており、Ａ及びＡ’は、それぞれ独立に連結部分であって、エステル、ケト、エーテル、チオ、アミド、アミノ、Ｃ１〜４フルオロアルキル、Ｃ１〜４フルオロアルケニル、分枝鎖若しくは直鎖ポリアルキレンオキシド、ホスフェート、スルホニル、サルフェート、アンモニウム、及びこれらの混合物を表し、Ｌ及びＬ’は、それぞれ独立に、非置換又は置換の、Ｃ１〜３０直鎖若しくは分枝鎖アルキル又はアルケニル又はアリールであり、Ｚは、水素、カルボン酸、ヒドロキシ、ホスフェート、ホスフェートエステル、スルホニル、スルホネート、サルフェート、分枝鎖又は直鎖ポリアルキレンオキシド、ニトリル、グリセリル、非置換又はＣ１〜３０アルキル若しくはアルケニルで置換されているアリール、非置換又はＣ１〜１０アルキル若しくはアルケニル又はアンモニウムで置換されている炭水化物であり、Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート、若しくはトシラートなどの陰イオン又は陽イオンである。
【００５２】
シロキサンをベースにした前述の界面活性剤の種類の例は、ＥＰ−１０４３４４３Ａ１、ＥＰ−１０４１１８９、及びＰＣＴ国際公開特許ＷＯ０１／３４，７０６（全てＧＥシリコーンズ（GE Silicones）に発行）、及び米国特許第５，６７６，７０５号、米国特許第５，６８３，９７７号、米国特許第５，６８３，４７３号、及びＥＰ−１０９２８０３Ａ１（全てレバー・ブラザーズ（Lever Brothers）に発行）に見出すことができる。
【００５３】
シロキサンを主体とする好適な界面活性剤の市販品の非限定例は、ＴＳＦ４４４６（ゼネラル・エレクトリック・シリコーンズ（General Electric Silicones）より）、ＸＳ６９−Ｂ５４７６（ゼネラル・エレクトリック・シリコーンズ（General Electric Silicones）より）、ジェナミンＨＳＸ（Jenamine HSX）（デルコン（DelCon）より）、及びＹ１２１４７（Ｏｓｉスペシャルティーズ（OSi Specialties）より）である。
【００５４】
界面活性剤成分に好適な第２の好ましい分類の物質は、有機物の性質をもつ。好ましい物質は、炭素原子数約６〜約２０の炭素鎖を有する、オルガノスルホスクシネート界面活性剤である。最も好ましいのは、それぞれが炭素原子数約６〜約２０の炭素鎖を有する、ジアルキル鎖を含有するオルガノスルホスクシネート類である。また、アリール又はアルキルアリール、置換又は非置換、分枝又は直鎖、飽和又は不飽和基を含有する鎖も好ましい。
【００５５】
好適なオルガノスルホスクシネート界面活性剤の市販品の非限定例は、エアゾール（Aerosol）ＯＴ及びエアゾール（Aerosol）ＴＲ−７０（サイテック（Cytec）より）の商品名で入手可能である。
【００５６】
界面活性剤成分は、本発明の布地物品処理組成物中に存在する場合、好ましくは布地物品処理組成物の約０．０１重量％〜約１０重量％、より好ましくは約０．０２重量％〜約５重量％、さらにより好ましくは約０．０５重量％〜約２重量％を構成する。
【００５７】
界面活性剤成分は、本発明の消費可能な洗剤組成物中に存在する場合、好ましくは消費可能な洗剤組成物の約１重量％〜約９９重量％、より好ましくは約２重量％〜約７５重量％、さらにより好ましくは約５重量％〜約６０重量％含まれる。
【００５８】
界面活性剤成分に好適な第２の好ましい分類の物質は、有機物の性質をもつ。やはり、前述のように親油性流体中の溶解度は不可欠である。好ましい物質は、炭素原子数約６〜約２０の炭素鎖を有する、オルガノスルホスクシネート界面活性剤である。
【００５９】
好適なオルガノスルホスクシネート界面活性剤の市販品の非限定例は、エアゾール（Aerosol）ＯＴ及びエアゾール（Aerosol）ＴＲ−７０（サイテック（Cytec）より）の商品名で入手可能である。
【００６０】
界面活性剤のもう一つの好ましい部類は、非イオン性界面活性剤、特に低いＨＬＢ値の非イオン性界面活性剤である。好ましい非イオン性界面活性剤は、約１０未満、より好ましくは約７．５未満、及び最も好ましくは約５未満のＨＬＢ値を有する。好ましい非イオン性界面活性剤はまた、界面活性剤の鎖の中に約６〜２０個の炭素、及び界面活性剤の親水性部分中に約１〜１５個のエチレンオキシド（ＥＯ）及び／又はプロピレンオキシド（ＰＯ）単位を有し（すなわち、Ｃ６〜２０  ＥＯ／ＰＯ  １〜１５）、及び好ましくはＣ７〜１１  ＥＯ／ＰＯ  １〜５（例えばＣ７〜１１  ＥＯ  ２．５）の範囲内のものから選択される非イオン性界面活性剤である。
【００６１】
界面活性剤洗濯添加剤は、存在する場合、典型的には本発明の方法のための親油性流体と組み合わせた洗浄組成物の約０．００１重量％〜約１０重量％、より好ましくは約０．０１重量％〜約５重量％、さらにより好ましくは約０．０２重量％〜約２重量％含まれる。これらの界面活性剤洗濯添加剤は、親油性流体に添加される前に消費可能な洗剤組成物中に存在する場合、好ましくは消費可能な洗剤組成物の約１重量％〜約９０重量％、より好ましくは２重量％〜約７５重量％、さらにより好ましくは約５重量％〜約６０重量％含まれる。
【００６２】
実施形態の１つでは、処理剤は水に不溶性である。もう１つの実施形態では、処理剤は水に不溶性であるが、親油性流体に可溶性である。さらに別の実施形態では、処理剤は水に不溶性であり、親油性流体に可溶性であり、及び約１〜約９又は約１〜約７又は約１〜約５のＨＬＢを有する。
【００６３】
さらに別の実施形態では、処理剤は水に不溶性であり、及び親油性流体に不溶性である。さらに別の実施形態では、処理剤は可溶化剤と共に、親油性流体及び／又は水に少なくとも部分的に可溶性である。可溶化剤の実施形態において、処理剤は処理組成物の約０．００１重量％〜約５重量％、又は約０．００１重量％〜約３重量％又は約０．００１重量％〜約１重量％の濃度で処理組成物中に存在する。
【００６４】
好適な処理剤の非限定例としては、ダウ・コーニング（Dow Corning）よりＤＣ１２４８、ＳＦ１５２８、ＤＣ５２２５Ｃ及びＤＣＱ４３６６７などの商標名で市販されている処理剤、及びウィトコ（Witco）よりＬ８６２０、Ｌ７２１０、Ｌ７２２０などの商標名で市販されているシルウェッツ（Silwets）が挙げられる。
【００６５】
汚染物質構成成分は、汚染物質含有親油性流体中に存在する時、いかなる濃度でも存在でき、典型的には汚染物質構成成分は汚染物質含有親油性流体の約０．０１重量％〜約１０重量％、より好ましくは約０．０２重量％〜約５重量％、さらにより好ましくは約０．０５重量％〜約２重量％の濃度で存在する。
【００６６】
汚染物質含有親油性流体中に存在してもよい別の汚染物質構成成分／汚染物質は、非シリコーン添加剤として特徴づけられる。該非シリコーン添加剤は好ましくは極性の高い及び／又は水素結合する先端基を含む。極性の高い及び／又は水素結合する先端基の例は、アルコール類、カルボン酸類、サルフェート類、スルホネート類、ホスフェート類、ホスホネート類、及び窒素含有物質である。好ましい非シリコーン添加剤は、一級、二級及び三級アミン、ジアミン、トリアミン、エトキシル化アミン、アミンオキシド、アミド、ベタイン（ベタインの非限定例は、スケア・ケミカルズ（Scher Chemicals）より市販されているスケアコタイン（Schercotaine）物質である）、陽イオン性界面活性剤及び／又は四級界面活性剤及び／又は塩化アンモニウムのような四級アンモニウム塩（塩化アンモニウムの非限定例は、アクゾノーベル（Akzo Nobel）より市販されているアルクアッド（Arquad）及び／又はゴールドシュミット（Goldschmidt）よりのバリソフト（Varisoft）である）及び陽イオン性布地柔軟活性物質のような陽イオン性物質、非イオン性界面活性剤（すなわち、アルコールエトキシレート、ポリヒドロキシ脂肪酸アミド）のような非イオン性物質、ジェミニ界面活性剤、陰イオン性界面活性剤、双性イオン性界面活性剤、並びにこれらの混合物から成る群から選択される窒素含有物質である。アルキルアミン類が特に好ましい。さらに、融点を下げるのに役立つアルキル鎖上の分枝形成が極めて好ましい。さらに好ましいのは、約６〜約２２個の炭素原子を含む一級アルキルアミン類である。
【００６７】
特に好ましい一級アルキルアミンは、オレイルアミン（アーミン（Armeen）ＯＬＤの商品名でアクゾ（Akzo）から市販）、ドデシルアミン（アーミン（Armeen）１２Ｄの商品名でアクゾ（Akzo）から市販）、分枝Ｃ１６〜Ｃ２２アルキルアミン（プリミーニ（Primene）ＪＭ−Ｔの商品名でローム・アンド・ハース（Rohm & Haas）から市販）及びこれらの混合物である。
【００６８】
もう１つの実施形態において、汚染物質含有親油性流体は、陰イオン性汚染物質、陽イオン性汚染物質、非イオン性汚染物質、双性イオン性汚染物質及びこれらの混合物から成る群から選択される汚染物質を含む。
【００６９】
非シリコーン添加剤は、本発明の処理組成物中に存在する場合、好ましくは処理組成物の約０．０１重量％〜約１０重量％、より好ましくは約０．０２重量％〜約５重量％、さらにより好ましくは約０．０５重量％〜約２重量％含まれる。
【００７０】
（極性溶媒）
本発明の汚染物質含有親油性流体は、極性溶媒を含んでもよい。極性溶媒の非限定例には、水、アルコール類、グリコール類、ポリグリコール類、エーテル類、カーボネート類、二塩基性エステル類、ケトン類、他の酸素化溶媒、及びこれらの混合物が挙げられる。アルコール類のさらなる例には、プロパノール、エタノール、イソプロピルアルコールなどのようなＣ１〜Ｃ１２６アルコール類、ベンジルアルコール、及び１，２−ヘキサンジオールなどのジオール類が挙げられる。ダウ・ケミカル（Dow Chemical）によるダウアノール（Dowanol）シリーズは、本発明に有用なグリコール及びポリグリコールの例であり、例えば、ダウアノール（Dowanol）ＴＰＭ、ＴＰｎＰ、ＤＰｎＢ、ＤＰｎＰ、ＴＰｎＢ、ＰＰｈ、ＤＰＭ、ＤＰＭＡ、ＤＢ、及び他のものなどがある。他の例には、プロピレングリコール、ブチレングリコール、ポリブチレングリコール、及びさらに疎水性のグリコールなどが挙げられる。カーボネート溶媒の例には、エチレン、プロピレン、及びブチレンカーボネート、例えばジェフソル（Jeffsol）の商標名で入手可能なものなどがある。本発明用の極性溶媒は、分散性（δＤ）、極性（δＰ）、及び水素結合（δＨ）ハンセン溶解度パラメータによってさらに同定し得る。好ましい極性溶媒又は極性溶媒混合物は、極性分率の値（ｆＰ）及び水素結合分率の値（ｆＨ）が、ｆＰ＞０．０２及びｆＨ＞０．１０であり、ここでｆＰ＝δＰ／（δＤ＋δＰ＋δＨ）及びｆＨ＝δＨ／（δＤ＋δＰ＋δＨ）、さらに好ましくはｆＰ＞０．０５及びｆＨ＞０．２０、最も好ましくはｆＰ＞０．０７及びｆＨ＞０．３０である。
【００７１】
極性溶媒は汚染物質含有親油性流体中にいかなる濃度で存在してもよく、典型的には汚染物質含有親油性流体の約０．００１重量％〜約１０重量％、より好ましくは約０．００５重量％〜約５重量％、さらにより好ましくは約０．０１重量％〜約１重量％の濃度で汚染物質含有親油性流体に存在する。
【００７２】
実施形態の１つでは、汚染物質含有親油性流体は、汚染物質含有親油性流体の約０重量％〜約５重量％又は約０重量％〜約３重量％又は約０．０００１重量％〜約１重量％の極性溶媒を含む。
【００７３】
本発明の処理組成物においては、極性溶媒の濃度は、洗剤組成物の約０重量％〜約７０重量％、好ましくは１重量％〜５０重量％、さらに好ましくは１重量％〜３０％重量であることができる。
【００７４】
（多機能フィルタ）
本発明の多機能フィルタは、濾液から物質を除去可能な除去用成分と濾液に物質を添加可能な添加用成分とを含む。除去用成分及び／又は添加用成分は、吸着材料及び又は吸収性材料を含んでよい。
【００７５】
除去用成分及び添加用成分は、同一のフィルタ領域に存在してよい。あるいは、除去用成分及び添加用成分は、離れた別個のフィルタ領域に存在してもよく、又はこれらの形態の組み合わせであることもできる。
【００７６】
１つの実施形態では、多機能フィルタは、二重吸着領域（極性及び無極性吸着剤を含有）と、脱着又は制御放出領域とを含む。吸着領域は、液体から水溶性汚染物質及び親油性で可溶性の（lipophilic-soluble）汚染物質の両方を濾過し、制御放出領域は、「浄化された」液体に活性物質（例えば、香料、殺生物剤）を送出する。カートリッジは、濾過及び送出デバイスの両方の働きをする。
【００７７】
もう１つの実施形態では、多機能フィルタは、交換可能である。
【００７８】
さらにもう１つの実施形態では、多機能フィルタは、再利用可能である。
【００７９】
さらにもう１つの実施形態では、除去用成分及び添加用成分は、中間成分によって互いに物理的に隔てられている。
【００８０】
さらにもう１つの実施形態では、除去用成分は、中間成分によって他の除去用成分から物理的に隔てられている。
【００８１】
さらにもう１つの実施形態では、添加用成分は、中間成分によって他の添加用成分から物理的に隔てられている。
【００８２】
通常、中間成分は、流体透過性材料を含んでなる。
【００８３】
除去用成分及び添加用成分は、フィルタハウジング内に収納されていることが望ましい。フィルタハウジングは、通常、除去用成分及び添加用成分をほぼ包み込む外壁を含んでなる。
【００８４】
本発明によるフィルタの実施形態では、
ａ．濾液がを通ってフィルタに入る流入ポートと、濾液が通ってフィルタから出る流出ポートとを備えるハウジングと、
ｂ．前記ハウジング内に収納された濾過材であって、ファンフォールド式にひだが付けられており、濾液が流入ポートから流出ポートまで通過する際に該濾液が該濾過材と接触するようにフィルタ内に位置決めされている濾過材と、
ｃ．濾液から物質を除去する除去用成分であって、濾過材全体にわたって分散して固定されている除去用成分と、
ｄ．濾液に物質を添加する添加用成分とを含むフィルタが提供される。
【００８５】
本発明の多機能フィルタが、いつフィルタを交換する必要があるか指示する使用終了指示器を含むことが望ましい。
【００８６】
（ａ．除去用成分）
除去用成分は、通常、吸着材料を含む。
【００８７】
（ｂ．添加用成分）
添加用成分は、通常、活性物質を担持した多孔質粒子を含む。添加用成分は、添加用成分と接触する濾液に添加可能な放出剤、好ましくは制御放出剤を含むことが望ましい。
【００８８】
好適な放出剤の非限定例には、香料、殺生物剤、腐食防止剤、仕上げ剤、例えば静電気防止剤、布地柔軟化剤、及びこれらの混合物が挙げられる。
【００８９】
１つの実施形態では、放出剤は、基質又はキャリアに放出可能に会合している。
【００９０】
（吸着性物質）
本発明の方法に有用な吸着性物質は、極性剤及び無極性剤を含む。一般的に、極性剤及び無極性剤は、吸着性物質中に約１：１０〜約１０：１又は約１：５〜約５：１又は約１：２〜約３：１の比で存在する。
【００９１】
実施形態の１つでは、吸着性物質は表面積が約１０ｍ２／ｇ〜約１０００ｍ２／ｇ又は約１００ｍ２／ｇ〜約１０００ｍ２／ｇ又は約２５０ｍ２／ｇ〜約１０００ｍ２／ｇ又はさらに約５００ｍ２／ｇ〜約１０００ｍ２／ｇである。
【００９２】
実施形態の１つでは、吸着性物質は平均粒径が約０．１μｍ〜約２５０μｍである。
【００９３】
もう１つの実施形態では、吸着性物質は平均粒径が約０．１μｍ〜約５００μｍである。
【００９４】
もう１つの実施形態では、吸着性物質は極性及び無極性剤、並びに極性剤、無極性剤及び任意選択的に荷電剤から成る群から選択されるもう１つの剤を含んでなり、その際二つ以上の剤が単一の物理的形態の混合剤の形態である。
【００９５】
さらに別の実施形態では、吸着性物質は極性及び無極性剤、並びに極性剤、無極性剤及び任意選択的に荷電剤から成る群から選択されるもう１つの剤を含んでなり、その際二つ以上の剤が層状剤の形態である。
【００９６】
さらに別の実施形態では、吸着性物質は、分離した、別個の極性及び無極性剤、並びに独立した、別個の荷電剤を、汚染物質含有親油性流体が両方の独立した、別個の剤にも接触するように含む。
【００９７】
さらに別の実施形態では、吸着性物質は離散粒子を含む。
【００９８】
さらに別の実施形態では、吸着性物質は離散粒子の形態である。
【００９９】
あるいは、吸着性物質は繊維性構造の形態である。一般的に、繊維性構造は、不織布繊維性構造である。しかしながら、繊維性構造は織物繊維性構造であることもできる。
【０１００】
もう１つの実施形態では、吸着性物質は繊維性構造に埋め込まれた、及び／又はコーティングされた、及び／又は含浸された、及び／又は結合された離散粒子の形態である。
【０１０１】
吸着性物質は、（１）荷電剤、及び（２）一緒に混合された極性及び無極性剤を含んでもよい。極性剤は一般的に離散粒子の形態であり、無極性剤は一般的に繊維性構造の形態であり、その際離散粒子の極性剤は繊維性構造、一般的には不織布繊維性構造に埋め込まれ、及び／又はコーティングされ、及び／又は含浸され、及び／又は結合されている。
【０１０２】
（ａ．極性剤）
実施形態の１つでは、本発明の吸着性物質に有用な極性剤は次式：
Ｙａ−ＯｂＸ
を有し、式中、ＹはＳｉ、Ａｌ、Ｔｉ、Ｐであり、ａは約１〜約５であり、ｂは約１〜約１０であり、Ｘは金属である。
【０１０３】
もう１つの実施形態では、本発明の吸着性物質への使用に適した極性剤は、シリカ、珪藻土、アルミノケイ酸塩類、ポリアミド樹脂、アルミナ、ヒドロゲル類、ゼオライト類、及びこれらの混合物から成る群から選択される。好ましくは、極性剤はシリカであり、より具体的にはシリカゲルである。
【０１０４】
本発明のヒドロゲルを含むモノマーの非限定例としては、ヒドロキシアルキルアクリレート類、ヒドロキシアルキルメタクリレート類、Ｎ−置換アクリル酸アミド類、Ｎ−置換メタクリル酸アミド類、Ｎ−ビニル−２−ピロリドン、Ｎ−アクロイルピロリドン、アクリル類、メタクリル類、酢酸ビニル、アクリロニトリル、スチレン、アクリル酸、メタクリル酸、クロトン酸、スチレンスルホン酸ナトリウム、２−スルホキシエチルメタクリル酸ナトリウム、２−アクリルアミド−２−メチルプロパンスルホン酸、ビニルピリジン、アミノエチルメタクリレート類、２−メタクリロイルオキシトリメチルアンモニウムクロリド、Ｎ，Ｎ’−メチレンビスアクリル酸アミド、ポリ（エチレングリコール）ジメタクリレート、２，２’−（ｐ−フェニレンジオキシジエチルジメタクリレート、ジビニルベンゼン、及びトリアリルアミンが挙げられる。
【０１０５】
もう１つの実施形態では、本発明の吸着性物質への使用に適した極性剤は、約０．５μｍ〜約５００μｍの平均粒径を有する。
【０１０６】
（ｂ．無極性剤）
本発明の吸着性物質への使用に適した無極性剤は、活性炭、ポリスチレン、ポリエチレン、及び／又はジビニルベンゼンのうち一つ以上を含む。活性炭は粉末形態であってもよく、及び／又は表面積が約５０ｍ２／ｇ〜約２００ｍ２／ｇであり、一般的には、約７５ｍ２／ｇ〜約１２５ｍ２／ｇである。
【０１０７】
（ｃ．荷電剤）
実施形態の１つでは、荷電剤は陰イオン性物質、陽イオン性物質、双性イオン性物質及びこれらの混合物から成る群から選択される。
【０１０８】
もう１つの実施形態では、荷電剤は次式：
［Ｗ−Ｚ］Ｔ
を有し、式中、Ｗは、Ｓｉ、Ａｌ、Ｔｉ、Ｐ又はポリマー主鎖であり；Ｚは荷電置換基であり、Ｔはアルカリ金属、アルカリ土類金属及びこれらの混合物から選択される対イオンである。例えば、Ｔは、ナトリウム、カリウム、アンモニウム、アルキルアンモニウム誘導体、水素イオン、塩化物、水酸化物、フッ化物、ヨウ化物、カルボキシレート等であってもよい。
【０１０９】
ポリマー主鎖は一般的に、ポリスチレン、ポリエチレン、ポリジビニルベンゼン、ポリアクリル酸、ポリアクリル類アミド、多糖類、ポリビニルアルコール、これらのコポリマー及びこれらの混合物から成る群から選択される物質を含んでなる。
【０１１０】
荷電置換基は一般に、スルホネート類、ホスフェート類、四級アンモニウム塩類及びこれらの混合物を含む。荷電置換基は、アルコール類、ジオール類、カルボキシレートの塩類、一級及び二級アミンの塩類、ならびにこれらの混合物を含んでもよい。
【０１１１】
Ｗは一般的にＷの約１重量％〜約１５重量％の荷電剤を含んでなる。
【０１１２】
もう１つの実施形態では、荷電剤は、荷電剤が環境条件に暴露されると、汚染物質含有親油性流体から一時的に除去したいかなる汚染物質をも放出できるような再生可能なものである。本明細書で使用する時、「環境条件」は、荷電剤に汚染物質を放出させるあらゆる物理的又は化学的条件を意味する。環境条件の非限定例には、荷電剤を酸、塩基及び／又は塩に暴露することが挙げられる。再生可能な荷電剤は一般に約２〜約８のｐＫａ又はｐＫｂを有する。再生可能な荷電剤は、親油性流体からの多サイクル汚染物質除去に再利用できる。
【０１１３】
（多機能フィルタの使用）
多機能フィルタは、当業者に既知のいずれかの好適な方式で使用してよい。
【０１１４】
実施形態の１つでは、多機能フィルタは、布地物品処理装置、とりわけ親油性流体系の布地物品処理装置のような装置と関連させて使用される。このような装置の非限定例は、
ａ．本発明によるフィルタと、
ｂ．濾液がフィルタと接触するようにフィルタと流体連通している濾液源とを備える。
【０１１５】
（方法）
また、本発明は、本発明によるフィルタを濾液と接触させることを含む、濾液を処理する方法も包含する。
【０１１６】
また、本発明による方法によって生成された結果として得られる濾液も、本発明の範囲内である。
【０１１７】
（図１〜図２の説明）
フィルタカートリッジ５には、硬い孔あき円筒状外側濾材ケージ１０が含まれ、その中には中央の流路１８０を有する硬い孔あき内側円筒状コア要素７０が同軸的に配置されている。ケージ１０とコア要素７０との間の内部空間内には、流体透過性要素２００によって隔てられたいくつかの独特の領域がある。
【０１１８】
ケージの最も近くにある第１領域には、個々のひだがフィルタカートリッジの長手軸に対して径方向に配向するように設置された、長手方向にひだが付けられた濾材３０がある。硬い外側濾材ケージ１０及び硬いコア要素７０には、それぞれ、その中に流体を流れさせるための孔２０、８０が設けられている。
【０１１９】
第２領域４０には、極性吸着剤９０がある。第３領域５０には、無極性吸着剤１００がある。第４領域６０には、制御放出活性物質１００がある。
【０１２０】
したがって、流体は、普通、外側ケージ１０と、１、２、３、４の領域と、中央のコア要素７０とをこの順番で通って流れることができ、中央の経路１８０を通ってフィルタカートリッジ５から排出される。
【０１２１】
（図３の説明：）
フィルタカートリッジ２１０には、上部フランジ２２０及び底部フランジ２３０を備えた、硬い流体不透過性の管形支持体が含まれる。フランジ２２０、２３０には、任意選択的にシールリングを保持するための環状の溝１５０が設けられている。フランジ２２０、２３０は、孔１４０があけられているので、液体は、フィルタカートリッジ２１０の長手軸に沿って流れることができる。
【０１２２】
２つのフランジの間には、平面的に配向された４つの独特の領域が層を成しているので、流体は、これらの領域を通って垂直に流れる。各領域は、流体透過性要素１３０によって隔てられている。
【０１２３】
上部フランジ２２０の最も近くにある第１領域２４０には、個々のひだがフィルタカートリッジの長手軸に対して垂直に配向するように設置された、径方向にひだが付けられた濾材２７０がある。第２領域２４０には、極性吸着剤９０がある。第３領域２５０には、無極性吸着剤１００がある。第４領域２６０には、水に可溶性でなく、非常に高い広域スペクトル抗菌能を有する顆粒状物質として購入することのできる、例えばクロルヘキサジンアセテートのような制御放出活性物質１１０がある。
【図面の簡単な説明】
【０１２４】
【図１】本発明による多機能フィルタの１つの実施形態の部分断面斜視図である。
【図２】図１の多機能フィルタの線２−２に沿った断面図である。
【図３】本発明による多機能フィルタのもう１つの実施形態の斜視図である。
【国際公開パンフレット】
2005501708.tif 000004
2005501708.tif 000005
2005501708.tif 000006
2005501708.tif 000007
2005501708.tif 000008
2005501708.tif 000009
2005501708.tif 000010
2005501708.tif 000011
2005501708.tif 000012
2005501708.tif 000013
2005501708.tif 000014
2005501708.tif 000015
2005501708.tif 000016
2005501708.tif 000017
2005501708.tif 000018
2005501708.tif 000019
2005501708.tif 000020
2005501708.tif 000021
2005501708.tif 000022
2005501708.tif 000023
2005501708.tif 000024
2005501708.tif 000025
2005501708.tif 000026
2005501708.tif 000027
2005501708.tif 000028
2005501708.tif 000029
2005501708.tif 000030
2005501708.tif 000031
【国際公開パンフレット（コレクトバージョン）】
2005501708.tif 000032
2005501708.tif 000033
【国際調査報告】
2005501708.tif 000034
2005501708.tif 000035
2005501708.tif 000036